(57)【要約】      （修正有）【課題】特に文房具又は化粧品等の小物の容器トレーとしても容器スタンドとしても使用可能な容器を提供する。【解決手段】該容器は、少なくとも第１姿勢と第２姿勢との２つの姿勢で物の収納に用いられる容器であって、前記第１姿勢の状態で前記容器を自立させる底を構成する第１底面部１０１と、前記第２姿勢の状態で前記容器を自立させる底を構成しており前記第１底面部１０１と交わるように広がった第２底面部１０２と、前記第１底面部１０１のうち前記第２底面部１０２側とは反対側の端部を含む部分が前記第１底面部１０１側とは反対側に向けて開放されるように開口した開口部１０３と、を有する本体部１００と、前記開口部１０３を開閉可能な蓋部１０４と、を備え、前記開口部１０３は、第１姿勢と第２姿勢で共通の開口部である。【選択図】図１
2017200570.tif 000002
【特許請求の範囲】
【請求項１】
少なくとも第１姿勢と第２姿勢との２つの姿勢で物の収納に用いられる容器であって、
前記第１姿勢の状態で前記容器を自立させる底を構成する第１底面部と、前記第２姿勢の状態で前記容器を自立させる底を構成しており前記第１底面部と交わるように広がった第２底面部と、前記第１底面部のうち前記第２底面部側とは反対側の端部を含む部分が前記第１底面部側とは反対側に向けて開放されるように開口した開口部と、を有する本体部と、
前記開口部を開閉可能な蓋部と、を備え、
前記開口部は、前記第１姿勢と前記第２姿勢で共通の開口部である、
ことを特徴とする容器。
【請求項２】
前記開口部は、前記蓋部が前記第２底面部側に移動することで開けられる、
ことを特徴とする請求項１に記載の容器。
【請求項３】
前記本体部は、前記第１底面部のうちの前記第２底面部側の部分と対向している対向部をさらに備え、
前記蓋部は、前記対向部と連結されており、
前記開口部は、前記蓋部と前記対向部との連結部を基点に前記第１底面部側とは反対側に回動することで開けられ、
前記連結部は、前記蓋部と前記対向部との間に設けられている、
ことを特徴とする請求項２に記載の容器。
【請求項４】
前記開口部が開いた状態で、前記蓋部と前記対向部とを固定させる固定部をさらに備え、
前記固定部は、前記連結部以外の位置に設けられている、
ことを特徴とする請求項３に記載の容器。
【請求項５】
前記開口部と前記蓋部とのそれぞれに連結され、前記蓋部を前記開口部に対して固定および開放させるための係止部をさらに備えた、
ことを特徴とする請求項１から４のいずれか１項に記載の容器。
【請求項６】
前記係止部は、前記第２底面部から離れるほど前記第１底面部側に近づくようになる、
ことを特徴とする請求項５に記載の容器。
【請求項７】
前記係止部は、ファスナーである、
ことを特徴とする請求項５に記載の容器。
【請求項８】
前記本体部および前記蓋部の材料は、布を含む、
ことを特徴とする請求項１から４のいずれか１項に記載の容器。
【請求項９】
前記第１底面部は、前記容器の長手方向に沿うように広がっており、
前記第１底面部と前記第２底面部とは直交する、
ことを特徴とする請求項１から４のいずれか１項に記載の容器。
【請求項１０】
前記蓋部が前記本体部の前記開口部を閉じた状態では直方体形状である、
ことを特徴とする請求項１から４のいずれか１項に記載の容器。
【請求項１１】
前記物は、文房具または化粧品である、
ことを特徴とする請求項１から４のいずれか１項に記載の容器。
【請求項１２】
前記第１姿勢では横倒しのペントレーであり、
前記第２姿勢では直立のペンスタンドである、
ことを特徴とする請求項１１に記載の容器。
【発明の詳細な説明】
【技術分野】
【０００１】
本発明は容器に関し、特に文房具又は化粧品等の小物の容器トレーとしても容器スタンドとしても使用可能な容器に関する。
【背景技術】
【０００２】
従来技術において、複数の種類の文房具を収容する容器は、デザインされている。直立または直立に近い方式で各種の文房具を収容可能なペンスタンドとして使用される場合もあり、デスクに置かれトレーのように各種の文房具を収容するペンケースとして使用される場合もあり、ペンスタンドとしても文房具箱としても使用されるように設けられる場合もある。例えば、中国実用新案２４７９７８６号公告（出願番号：０１２２１９８１．９）には、ピン接続する方法を利用して箱カバー付きの二つの箱体を接続し、折りたたんでペンスタンドとして使用可能な文房具箱が開示された。他の中国実用新案２５８２４３９号公告（出願番号：０２２４９７５１．Ｘ）には、高さが同一の上下スタンド及びこれらの間に設けられたファスナーからなり、ペンケースとしてもペンスタンドとしても使用可能な文房具ケースが開示された。ただし、何れも上下両部分が基本的に同一であり、接続ピン又はファスナーによって互いに対して折り、両用途を達成するので、多くの制限がある。
【先行技術文献】
【特許文献】
【０００３】
【特許文献１】中国実用新案２４７９７８６号公告
【特許文献２】中国実用新案２５８２４３９号公告
【発明の概要】
【発明が解決しようとする課題】
【０００４】
本発明は少なくともペンスタンド又はペントレーとして使用可能な容器を提供する。
【課題を解決するための手段】
【０００５】
このような点に鑑みて、本発明は下記の技術案を提供して上記の課題を解決する。
【０００６】
少なくとも第１姿勢と第２姿勢との２つの姿勢で物の収納に用いられる本発明の容器であって、前記第１姿勢の状態で前記容器を自立させる底を構成する第１底面部と、前記第２姿勢の状態で前記容器を自立させる底を構成しており前記第１底面部と交わるように広がった第２底面部と、前記第１底面部のうち前記第２底面部側とは反対側の端部を含む部分が前記第１底面部側とは反対側に向けて開放されるように開口した開口部と、を有する本体部と、前記開口部を開閉可能な蓋部と、を備え、前記開口部は、第１姿勢と第２姿勢で共通の開口部である、ことを特徴とする容器。
【０００７】
上記の容器において、前記開口部は、前記蓋部が前記第２底面部側に移動することで開けられることが好ましい。
【０００８】
上記の容器において、前記本体部は、前記第１底面部のうちの前記第２底面部側の部分と対向している対向部をさらに備え、前記蓋部は、前記対向部と連結されており、前記開口部は、前記蓋部と前記対向部との連結部を基点に前記第１底面部側とは反対側に回動することで開けられ、前記連結部は、前記蓋部と前記対向部との間に設けられていることが好ましい。
【０００９】
上記の容器において、前記開口部が開いた状態で、前記蓋部と前記対向部とを固定させる固定部をさらに備え、前記固定部は、前記連結部以外の位置に設けられていることが好ましい。
【００１０】
上記の容器において、前記開口部と前記蓋部とのそれぞれに連結され、前記蓋部を前記開口部に対して固定および開放させるための係止部をさらに備えたことが好ましい。
【００１１】
上記の容器において、前記係止部は、前記第２底面部から離れるほど前記第１底面部側に近づくようになることが好ましい。
【００１２】
上記の容器において、前記係止部は、ファスナーであることが好ましい。
【００１３】
上記の容器において、前記本体部および前記蓋部の材料は、布を含むことが好ましい。
【００１４】
上記の容器において、前記第１底面部は、前記容器の長手方向に沿うように広がっており、前記第１底面部と前記第２底面部とは直交することが好ましい。
【００１５】
上記の容器において、前記蓋部が前記本体部の前記開口部を閉じた状態では直方体形状であることが好ましい。
【００１６】
上記の容器において、前記物は、文房具または化粧品であることが好ましい。
【００１７】
上記の容器において、前記第１姿勢では横倒しのペントレーであり、
前記第２姿勢では直立のペンスタンドであることが好ましい。
【発明の効果】
【００１８】
分析より分かるように、本発明はペンケースとして使用される場合、ペンスタンド及びペントレーの両方として使用可能である。本発明に提供された容器はペン等の文房具だけでなく、化粧品なども収容できるので、ペントレー・ペンケースよりもっと広い範囲の容器として使用可能となる。
【図面の簡単な説明】
【００１９】
【図１】本発明における実施例１の立体構造の模式図である。
【図２】本発明における実施例２の側面構造の模式図である。
【図３】本発明における実施例１の蓋部開放構造の模式図１である。
【図４】本発明における実施例１の蓋部開放構造の模式図２である。
【図５】本発明における実施例３の構造略図である。
【発明を実施するための形態】
【００２０】
以下に図面及び具体的な実施形態を参照しながら本発明を更に詳しく説明する。
【００２１】
図１、図３及び図４に示すように、本発明が提供する実施例１の容器は、ペン等の文房具の収納装置として、少なくとも第１姿勢と第２姿勢の状態で使用可能である。例えば、図３及び図４に示すように、該実施例１の容器は、それぞれに水平状態（第１姿勢）及び垂直状態（第２姿勢）でペントレー及びペンスタンドとして使用される。
【００２２】
また、図に示すように、本実施例１は本体部１００と蓋部１０４を備え、本体部１００は第１底面部１０１、第２底面部１０２、開口部１０３等の構造を有する。
【００２３】
具体的には、図３に示すように、第１底面部１０１は容器自体が第１姿勢の状態で使用される場合、容器を自立（自体で立て）させる底面を構成し、即ち、容器を該第１底面部１０１を介してデスクなどの容器載置平面（支持平面）に自立させることができる。また、第１底面部１０１は容器の長手方向に沿って延びる。
【００２４】
図４に示すように、第２底面部１０２は容器自体が第２姿勢の状態で使用される場合、容器を自立させる底面を構成し、且つ該第２底面部１０２は第１底面部１０１と交わるように広がり、即ち、容器を該第２底面部１０２を介してデスクなどの載置平面に自立させることができる。第１底面部１０１と第２底面部１０２との交わる角度について、特に限定されず、上記機能を実現可能な任意の角度であってもよく、９０度で交わるのが好ましい。
【００２５】
第１底面部１０１と第２底面部１０２との間の接続方式として、両者の間は直接接続されても間接的に接続されてもよい。一つの好もしい接続方式として、例えば、両者をテーパ部（傾斜部）を介して接続されてもよく、曲率を有する面を介して接続されてもよい。
【００２６】
開口部１０３は第１底面部１０１の内側に位置し、且つ第１底面部１０１のうち第２底面部１０２とは反対側の端部１０５を含む部分が第１底面部１０１とは反対側に向けて開放されるように開口した（即ち、図３、４に示すように、蓋部１０４は外部に向けて折る。また、内部に向けて折り込むこともできる）。蓋部１０４は開口部１０３の開閉に用いられ、開口部１０３に被覆されることができる。
【００２７】
これにより、本実施例１はペントレー位置、及びペンスタンド位置の二つの位置に使用され得る。ただし、本発明は文房具に限らず、化粧品又は他の種類の小物等の収容容器として使用可能であり、ペントレーよりもっと広い範囲で使用され得る。
【００２８】
上記第１底面部１０１と第２底面部１０２は、直方体形状又は立方体形状の本実施例の二つの面に限定されるものではなく、最も幅広い概念に理解されるべきものである。即ち、閉じた状態における容器の形状は、直方体であってもよく、立方体であってもよい。また、第１底面部１０１は比較的に大きく、その長手方向が本実施例１の長手方向と一致する。
【００２９】
また、蓋部１０４は、例えば図１、図３及び図４に示す実施例１のように一体であってもよく、例えば図２に示す実施例２のように二つ係止部１０８１、１０８２によって複数の部分に分割されたものであってもよい。また、例えば図５に示す実施例３のように、蓋部１０４は観音開き構造のように、ドア１０４１、ドア１０４２及び両者を接続する係止構造１０４０を備える。ドア１０４１とドア１０４２とは、中央から両側に開けられる。二つのドアを係止する構造は、係止構造１０４０に限定されず、例えば、ドアと本体部との接続箇所に設けられたマグネットまたは面ファスナー等の他の構造であってもよい。係止機能を実現すればよい。
【００３０】
図３、図４に示すように、いずれの開口部１０３も蓋部１０４が第２底面部１０２側に移動することで開けられる。即ち、開口部１０３を開ける時に、蓋部１０４を移動すればよい。
【００３１】
開口部１０３は、蓋部１０４を前記第２底面部１０２側に移動させることで開けられることを特徴とする。移動の方式として、図３、４のように蓋部１０４を容器外部に向けて折り出してもよい。勿論、蓋部１０４を容器内部に折り込んでもよい。何れもペンスタンド、ペントレーとして使用する効果に影響を与えない。
【００３２】
更に、図１に示すように、本体部１００は、第１底面部１０１のうちの第２底面部１０２側の部分と対向している対向部１０６をさらに備える。即ち、蓋部１０４と対向部１０６とは、第１底面部１０１の同一側に位置する。蓋部１０４は、連結部１０７を介して対向部１０６と連結されており、開口部１０３は、蓋部１０４と対向部１０６との間に設けられる連結部１０７を基点に往復回動することで開閉される。蓋部と対向部との連結部は、蓋部の下端部であってもよく、対向部の上端部であってもよい。実際には、連結部が設けられなくてもよい。すなわち、蓋部と対向部とが一体である場合でも、本発明は両姿勢においてそれぞれペントレーとペンスタンドとして機能可能である。
【００３３】
また、第２底面部１０２側に折られる蓋部の一部は、同一高度位置において第２底面部と同一平面に構成しており、例えば、第２底面部１０２側に折られる蓋部の一部と第２底面部１０２との何れも容器の支持面に位置する。この時、容器をペンスタンドとして使用する場合の安定度を高めることができる。勿論、折られた蓋部の一部は異なる高度に位置してもよい。
【００３４】
開口部１０３が開いた状態で、蓋部１０４と対向部１０６との間に、固定部（未図示）をさらに備えてもよい。固定部は、折られた蓋部１０４と対向部１０６との固定に用いられ、容器の載置安定度をさらに高める。一つ好ましい実施形態として、該固定部は、前記連結部１０７以外の位置に設けられている。固定部として、凹凸係合の構造であってもよい。蓋部１０４と対向部１０６とのうちの一方には、凸部が設けられており、他方には、前記凸部に係合する凹部が設けられる。また、蓋部１０４と対向部１０６とのそれぞれに設けられる面ファスナーであってもよく、蓋部１０４と対向部１０６とのそれぞれに設けられるマグネットであってもよい。すなわち、当業者が容易に想到できる各種の周知ファスナー（fastner）であってもよい。
【００３５】
無論、上記固定部の構成部材として、必ず蓋部と対向部とに設けられなくてもよい。例えば、折られた蓋部を固定さえできれば、蓋部に設けられた紐状物と第１底面部の両側（対向部両側の位置）における前記紐状物と結ぶ係合部とからなる固定部であってもよい。
【００３６】
蓋部１０４の位置等を限定するために、本実施例１は、蓋部１０４を本体部の開口部１０３に対して固定および開放させるための係止部をさらに備えた。係止部として、蓋部１０４と開口部１０３とそれぞれに連結されて設けられたファスナーであってもよく、それらに設けられた磁石又は面ファスナーであってもよい。また、係止部の設定位置について、第２底面部から離れるほど第１底面部側に近づくようになる。即ち、第２底面部から離れるほど第１底面部側に近づく位置に設けられる。つまり、蓋部１０４と開口部１０３は傾斜設置の係止部によって連結して固定される。
【００３７】
本発明の別の実施例として、図２に示すように、二つの係止部の設定位置が示され、即ち、何れも本体部１００の開口部１０３と蓋部１０４との間に設けられ、蓋部１０４の固定に用いられる係止部１０８１、１０８２である。つまり、係止部１０８１と係止部１０８２にある箇所において、何れも開きまたは係止でき、本実施例１を異なる容器として用いることができる。
【００３８】
好ましい実施例として、係止部は図２に示す係止部１０８２のように設けられることができる。即ち、係止部が第２底面部１０２から離れるほど第１底面部１０１に近づくように設けられる容器は、主にペンスタンド（第１姿勢）として使用される。
【００３９】
他の好ましい実施例として、係止部は図２に示す係止部１０８１のように設けられることができる。即ち、係止部が対向部１０６にある面に殆ど平行し、つまり、第１底面部１０１にある面に平行する。この係止部１０８１は、対向部１０６側の近くに設けられることが好ましい。このように設けられる容器は、主にペントレー（第２姿勢）として使用される。
【００４０】
無論、同時に係止部１０８１、１０８２を設定してもよい。これにより、ペンスタンドとペントレーの両機能を有することができる。
【００４１】
この時、図２に示す実施例２の蓋部１０４は２つの部分を有するため、二つの共通の開口部を形成することができる。ただし、二つの共通の開口部であっても、第１姿勢と第２姿勢においてその中の一つの共通の開口部を共用することができる。
【００４２】
更に、係止部１０８１、係止部１０８２はファスナーであってもよく、磁石、貼付けシート等であってもよい。本体部１００および蓋部１０４の主な材料は、布であることが好ましい。プラスチック、キャンバス、ポリエステル等を使ってもよい。柔軟性を有する材料が好ましい。
【００４３】
本体部１００及び蓋部１０４は、複数層の材料からなってもよい。また、層と層との間にウレタンシートが挟むことで、容器をある程度の硬度を有して容易に立てせることができる。
【００４４】
また、主体部１００の開口部１０３を閉じる時に、蓋部１０４は直方体状となる。これは、蓋部１０４が厳密な意味での直方体である意味ではなく、平面視又は側面視の場合、その全体が直方体に近いものであってもよい。また、その形状として、概ね直方体形状であればよい。全ての面は、何れも標準の長方形である必要がない。例えば、長方形の頂点部分（コーナー部）が丸みを帯びた形状となっていてもよい。また、面と面の間は、なだらかに湾曲した面を介して繋がるように構成されていてもよい。
【００４５】
更に、蓋部の内側に消しゴムのような小物の収容に用いられる小さいポケットが設けられてもよい。
【００４６】
技術常識から、本発明は、本発明の主旨又は必要な特徴を逸脱しない範囲で他の実施例によっても実現できることが分かる。従って、上記開示された実施例は唯一のものではなく、ただの例に過ぎない。本発明の範囲内又は本発明の範囲内に均等する変更は、何れも本発明に含まれる。
【図１】
2017200570.tif 000003
【図２】
2017200570.tif 000004
【図３】
2017200570.tif 000005
【図４】
2017200570.tif 000006
【図５】
2017200570.tif 000007
【外国語明細書】
2017200570000001.pdf